(57)【要約】      （修正有）【課題】ポケットビリヤード用キューで、ひねりを加えてついた時に手球の生じる飛びとくいこみを抑え、手球を想定した厚みで的球に当て易くし、的球をポケットに入れ易くする。【解決手段】シャフトの先から１５０ミリプラスマイナス３０ミリのところの径をシャフトの先の径より０．３ミリ細くし、ひねりを加えてついた時に手球に生じる飛びとくいこみを抑える。更に飛びとくいこみを抑える場合は、シャフトの長さを短くする。より一層飛びとくいこみを抑える時は、バットの長さも短くし、キュー全体の長さを短くする。【選択図】図４
0003120230.tif 000002
【実用新案登録請求の範囲】
【請求項１】
シャフトの先から根元までの間でいったん細くなっていることを特徴とするポケットビリヤード用のシャフト
【請求項２】
シャフトの先から根元までの間でいったん細くなっていることと既存のポケットビリヤードのシャフトより長さが短いことを特徴とするポケットビリヤード用シャフト
【請求項３】
シャフトの先から根元までの間でいったん細くなっていることを特徴とする請求項１のポケットビリヤード用のシャフトを持つポケットビリヤード用キュー
【請求項４】
シャフトの先から根元まで間でいったん細くなっていることと既存のポケットビリヤードのシャフトより長さが短いことを特徴とする請求項２のシャフトを持ち、かつ、バットも既存のポケットビリヤード用キューのバットより短いポケットビリヤード用キュー
【考案の詳細な説明】
【技術分野】
【０００１】  本考案は、ひねりを加えてついた時の手球のとびとくいこみを抑え、手球が想定した厚みで的球に当たり易くし、的球をポケットに入れ易くすることを図ったポケットビリヤード用シャフト及びキューに関するものである。
【背景技術】
【０００２】  既存のポケットビリヤード用シャフトのテーパーは、先から途中にかけての太さが一定で途中から根元にかけてじょじょに太くなるか、先角の根元からシャフトの根元にかけてじょじょに太くなるかで、ねじの部分を含めない長さが７３６．６ミリ又は７２３．９ミリあった。また、ポケットビリヤード用キューは、テーパーが先から途中にかけて太さが一定で途中から根元にかけてじょじょに太くなるか、先角の根元からシャフトの根元にかけてじょじょに太くなるかで、ねじの部分を含めない長さが７３６．６ミリ又は７２３．９ミリの長さのシャフトと長さが７３６．６ミリ又は７２３．９ミリのバットを持っていた。
【考案の開示】
【考案が解決しようとする課題】
【０００３】  既存のポケットビリヤード用のシャフトやキューでは、ひねりを加えてついた時に、手球にとびとくいこみが生じてしまい、思った厚みで手球を的球に当てにくく、想定外の厚みで当たってしまうと、的球がポケットに入らない。シャフトの先から根元にかけてのテーパーやシャフトの長さやバットの長さを変えることにより、ひねりを加えてついても、手球のとびとくいこみを少なくし、的球に想定した厚みで当て易くし、ポケットに入れ易くしようとするものである。
【課題を解決するための手段】
【０００４】  先角の径を１２．２ミリプラスマイナス０．６ミリにし、シャフトの先から１５０ミリプラスマイナス３０ミリのところの径を、先の径より０．３ミリ細くし、そこから根元までじょじょに太くする。また、より効果をあげるには、シャフトの長さを７０３ミリプラスマイナス３３ミリの長さにする。更に効果をあげるには、バットの長さも短くし、キューの全体の長さを１３７０ミリから１４７２ミリの間にする。
【図面の簡単な説明】
【０００５】
【図１】途中でいったん細くなっているシャフトの正面図である。
【図２】途中でいったん細くなっていて短いシャフトの正面図である。
【図３】途中でいったん細くなっているシャフトを持つキューの正面図である。
【図４】途中でいったん細くなっていてて短いシャフトを持ち、バットも短いキューの正面図である。
【符号の説明】
【０００６】１  シャフトの先
２  先角
３  シャフトの先から１５０ミリのところ
４  シャフトの根元
５  ねじ
６  バット
【図１】
0003120230.tif 000003
【図２】
0003120230.tif 000004
【図３】
0003120230.tif 000005
【図４】
0003120230.tif 000006
【手続補正書】
【提出日】平成17年12月21日(2005.12.21)
【手続補正１】
【補正対象書類名】実用新案登録請求の範囲
【補正対象項目名】全文
【補正方法】変更
【補正の内容】
【実用新案登録請求の範囲】
【請求項１】
シャフトの先からから根元までの間でいったん細くなっていることを特徴とするポケットビリヤード用シャフト
【請求項２】
シャフトの先から根元までの間でいったん細くなっていることと長さが７２３．９ミリより短いことを特徴とするポケットビリヤード用シャフト
【請求項３】
シャフトの先から根元までの間でいったん細くなっていることを特徴とする請求項１のシャフトを持つポケットビリヤード用キュー
【請求項４】
シャフトの先から根本までの間でいったん細くなっていることと長さが７２３．９ミリより短いことを特徴とする請求項２のシャフトを持ち、かつ、バットがねじの部分としりゴムの部分を除く長さが７２３．９ミリより短いポケットビリヤード用キュー
【手続補正２】
【補正対象書類名】明細書
【補正対象項目名】全文
【補正方法】変更
【補正の内容】
【考案の詳細な説明】
【技術分野】
【０００１】  本考案は、ひねりを加えてついた時の手球のとびとくいこみを抑え、手球が想定した厚みで的球に当たり易くし、的球をポケットに入れ易くすることを図ったポケットビリヤード用シャフト及びキューに関するものである。
【背景技術】
【０００２】  既存のポケットビリヤード用シャフトのテーパーは、先から途中にかけての太さが一定で途中から根元にかけてじょじょに太くなるか、先角の根元からシャフトの根元にかけてじょじょに太くなるかで、長さが７３６．６ミリ又は７２３．９ミリあった。また、ポケットビリヤード用キューは、テーパーが先から途中にかけて太さが一定で途中から根元にかけてじょじょに太くなるか、先角の根元からシャフトの根元にかけてじょじょに太くなるかで、長さが７３６．６ミリ又は７２３．９ミリの長さのシャフトと長さが７３６．６ミリ又は７２３．９ミリのバットを持っていた。
【考案の開示】
【考案が解決しようとする課題】
【０００３】  既存のポケットビリヤード用のシャフトやキューでは、ひねりを加えてついた時に、手球にとびとくいこみが生じてしまい、思った厚みで手球を的球に当てにくく、想定外の厚みで当たってしまうと、的球がポケットに入らない。シャフトの先から根元にかけてのテーパーやシャフトの長さやバットの長さを変えることにより、ひねりを加えてついても、手球のとびとくいこみを少なくし、的球に想定した厚みで当て易くし、ポケットに入れ易くしようとするものである。
【課題を解決するための手段】
【０００４】  先角の径を１２．２ミリプラスマイナス０．６ミリにし、シャフトの先から１５０ミリプラスマイナス３０ミリのところの径を、先の径より０．３ミリ細くし、そこから根元までじょじょに太くする。また、より効果をあげるには、シャフトの長さを７０３ミリプラス２０．９ミリ未満からマイナス３３ミリの間の長さにする。更に効果をあげるには、バットの長さも短くし、キューの全体の長さを１３７０ミリから１４４７．８ミリ未満の間の長さにする。
【図面の簡単な説明】
【０００５】
【図１】途中でいったん細くなっているシャフトの正面図である。
【図２】途中でいったん細くなっていて短いシャフトの正面図である。
【図３】途中でいったん細くなっているシャフトを持つキューの正面図である。
【図４】途中でいったん細くなっていてて短いシャフトを持ち、バットも短いキューの正面図である。
【符号の説明】
【０００６】１  シャフトの先
２  先角
３  シャフトの先から１５０ミリのところ
４  シャフトの根元
５  バット
【手続補正３】
【補正対象書類名】図面
【補正対象項目名】全図
【補正方法】変更
【補正の内容】
【図１】
0003120230.tif 000007
【図２】
0003120230.tif 000008
【図３】
0003120230.tif 000009
【図４】
0003120230.tif 000010